(57)【特許請求の範囲】
【請求項１】
上辺と下辺と２つの側辺を有する第１、第２、第３及び第４の４つの略矩形状側面部からなり、順に並列しかつ隣り合う各略矩形状側面部が側辺で連続し環状となった側面と、該略矩形状側面部の上辺に設けられた上部開口部封鎖部と、前記略矩形状側面部の下辺に設けられた下部開口部封鎖部とを有する包装箱であって、
前記下部開口部封鎖部は、第１の略矩形状側面部の下辺に折り曲げ部を介して設けられた第１の底部フラップと、第２の略矩形状側面部の下辺に折り曲げ部を介して設けられた第２の底部フラップと、第３の略矩形状側面部の下辺に折り曲げ部を介して設けられた第３の底部フラップと、第４の略矩形状側面部の下辺に折り曲げ部を介して設けられた第４の底部フラップとを備え、
前記第１の底部フラップは、前記第２の底部フラップ側のコーナー部を折り曲げることにより形成された第１の略三角形状の折曲可能片と、該第１の折曲可能片の中央部付近を側辺とし、前記第１の底部フラップを形成する折り曲げ部とほぼ平行に延びる底辺を有する略三角形状の切欠部を備え、
前記第２の底部フラップは、前記第１の底部フラップ側のコーナー部を折り曲げることにより形成された第２の略三角形状の折曲可能片を備え、かつ、該第２の折曲可能片は、前記第１の折曲可能片および前記切欠部を越え、前記切欠部を封止しない位置にて前記第１の底部フラップに固着されており、
前記第３の底部フラップは、前記第４の底部フラップ側のコーナー部を折り曲げることにより形成された第３の略三角形状の折曲可能片と、前記第３の底部フラップを形成する折り曲げ部と向かい合う前記第３の底部フラップの端部であり、前記第３の折曲可能片より所定距離離間した位置に設けられ、かつ、前記第１の底部フラップの前記切欠部内に進入可能な舌部を有するコーナー部を備え、
前記第４の底部フラップは、前記第３の底部フラップ側のコーナー部を折り曲げることにより形成された第４の略三角形状の折曲可能片を備え、
かつ、前記第３の底部フラップの前記第３の折曲可能片は、前記第４の折曲可能片を越える位置にて前記第４の底部フラップに固着されており、
さらに、前記包装箱の底面において、前記第２の底部フラップは、全面が露出し、前記第３の底部フラップは、前記第２の底部フラップにより前記舌部を有するコーナー部が覆われ、前記第４の底部フラップは、前記第４の折曲可能片および中央部が前記第３の底部フラップにより覆われ、前記第１の底部フラップは、前記第１の折曲可能片が前記第２の底部フラップにより、前記第１の折曲可能片と向かい合うコーナー部が前記第４の底部フラップにより、前記切欠部およびその付近が前記第２の底部フラップと前記第３の底部フラップとにより覆われており、さらに、前記第３の底部フラップの前記舌部は、前記第１の底部フラップの前記切欠部に進入し、かつ、前記舌部の先端部は、前記切欠部を越え、前記第１の底部フラップの内面上に位置し、前記切欠部と前記舌部により、前記底部フラップが外方に向かって開くことを防止する底部開口防止機構が形成されていることを特徴とする包装箱。
【請求項２】
前記切欠部および前記舌部は、前記包装箱の底面外方より、視認不能である請求項１に記載の包装箱。
【請求項３】
前記包装箱は、医療用部材収納用の包装箱である請求項１または２に記載の包装箱。
【請求項４】
前記包装箱は、薬剤充填済み医療用部材収納用の包装箱である請求項１ないし３のいずれかに記載の包装箱。
【請求項５】
前記切欠部は、斜辺に設けられ、前記舌部の離脱防止用の突出部を有している請求項１ないし４のいずれかに記載の包装箱。
【請求項６】
前記斜辺が、途中で角度が変わる変曲点を持っている請求項５に記載の包装箱。
【請求項７】
前記舌部は、丸みを帯びた先端部と、該先端部より前記第３の底部フラップ形成用の折り曲げ部に向かってほぼ直交するように延びる第１の側辺と、前記先端部より、前記第３の底部フラップの側部方向にかつ斜めに延びる第２の側辺とを有している請求項１ないし６のいずれかに記載の包装箱。
【請求項８】
前記第３の底部フラップは、露出し、かつ前記第４の底部フラップに固着されていない端部より、前記第３の底部フラップ形成用の折り曲げ部方向に向かって延びる破断可能かつ破断状態確認可能部を備えている請求項１ないし７のいずれかに記載の包装箱。
【請求項９】
前記舌部は、前記第１の側辺に設けられた離脱防止用の小切欠部を備えている請求項８に記載の包装箱。
【請求項１０】
前記切欠部は、前記第１の略矩形状側面部側の頂点が切り欠かれた形状となっている請求項１ないし９のいずれかに記載の包装箱。
【請求項１１】
前記包装箱は、前記上部開口部封鎖部により前記上部開口部が封鎖されていない状態において、前記略矩形状側面部を押圧することにより、前記４つの底部フラップが、前記折り曲げ部および前記折曲可能片部分により折れ曲がることにより内側に倒れ、扁平状態となることが可能となっている請求項１ないし１０のいずれかに記載の包装箱。
【請求項１２】
前記包装箱は、いずれかの２つの略矩形状側面部間に形成された接合部と、残りの略矩形状側面部間に形成された折り曲げ部を有している請求項１ないし１１のいずれかに記載の包装箱。
【請求項１３】
前記上部開口部封鎖部は、いずれかの略矩形状側面部の上辺に折り曲げ部を介して設けられた上部開口封鎖フラップと、該上部開口封鎖フラップの先端部に折り曲げ部を介して設けられた接合片と、前記上部開口封鎖フラップが形成された略矩形状側面部と向かい合う略矩形状側面部の上部に設けられた破断可能かつ破断状態確認可能部と、前記上部開口封鎖フラップが形成された略矩形状側面部と隣り合う２つの略矩形状側面部の上辺に折り曲げ部を介して設けられた上部フラップとを備えている請求項１ないし１２のいずれかに記載の包装箱。
【請求項１４】
前記包装箱は、略直方体状包装箱である請求項１ないし１３のいずれかに記載の包装箱。
【請求項１５】
前記請求項１ないし１４のいずれかに記載の包装箱と、前記包装箱内に収納された医療用器材とからなり、かつ、前記包装箱の上部開口部が、前記上部開口部封鎖部により封鎖された状態となっていることを特徴とする包装された医療用器材。
【請求項１６】
前記医療用器材が、プレフィルドシリンジもしくは薬剤収納容器である請求項１５に記載の包装された医療用器材。
【発明の詳細な説明】
【技術分野】
【０００１】
本発明は、包装箱および包装箱にて包装された医療用器材に関する。
【背景技術】
【０００２】
従来より、薬剤や食品等の商品を収容する紙製の包装箱が用いられている。そして、包装箱として、改ざん防止機能を備えるものも用いられている。そのような、改ざん防止機能を備える包装箱として、特許文献１（特開２００６−９６３５１）がある。この包装箱は、一枚のブランクシートから一体的に打ち抜かれた箱体形成片１２からなり、互いに連接された側面１４，１６，１８，２０と、一側面１８に連続し底部分の一部を覆う底蓋片６６を有する。底蓋片６６の両側の側面１６，２０から延出した一対の下フラップ５４，７８には、底蓋片６６に糊付けされる糊付片５８，８２と、糊付片５８，８２の糊付部の周囲に形成された切込線６２，８６を有する。底蓋片６６が設けられた側面１８に対面する側面１４に連続して、底部分のほぼ全面を底蓋片６６の箱体内側に沿って閉鎖する内底片４０を備える。内底片４０は、所定位置に切断線４４を有し、底蓋片６６には、切断線４４に差し込まれてロックする突起片７０を備える。
【先行技術文献】
【特許文献】
【０００３】
【特許文献１】特開２００６−９６３５１
【発明の概要】
【発明が解決しようとする課題】
【０００４】
上記特許文献１の包装箱は、改ざん防止機能を備える点においては、有効であるものの、改ざん防止機能を有することを外部より容易に確認することができ、かつ、その部位の特定も容易であるため、改ざんを行うことは困難ではあるものの完全に行えないものではなかった。また、改ざん防止機能を有するため、包装箱の組み立て作業および使用後の潰し作業（扁平状態化）に手間がかかるものであった。
本発明の目的は、改ざん防止機能を有することの外部からの確認および部位の特定が困難であり、かつ、包装箱の組み立て作業および使用後の潰し作業（扁平状態化）が容易である包装箱およびそれを用いた包装された医療用器材を提供するものである。
【課題を解決するための手段】
【０００５】
上記目的を達成するものは、以下のものである。
（１）  上辺と下辺と２つの側辺を有する第１、第２、第３及び第４の４つの略矩形状側面部からなり、順に並列しかつ隣り合う各略矩形状側面部が側辺で連続し環状となった側面と、該略矩形状側面部の上辺に設けられた上部開口部封鎖部と、前記略矩形状側面部の下辺に設けられた下部開口部封鎖部とを有する包装箱であって、前記下部開口部封鎖部は、第１の略矩形状側面部の下辺に折り曲げ部を介して設けられた第１の底部フラップと、前記第２の略矩形状側面部の下辺に折り曲げ部を介して設けられた第２の底部フラップと、前記第３の略矩形状側面部の下辺に折り曲げ部を介して設けられた第３の底部フラップと、前記第４の略矩形状側面部の下辺に折り曲げ部を介して設けられた第４の底部フラップとを備え、前記第１の底部フラップは、前記第２の底部フラップ側のコーナー部を折り曲げることにより形成された第１の略三角形状の折曲可能片と、該第１の折曲可能片の中央部付近を側辺とし、前記第１の底部フラップを形成する折り曲げ部とほぼ平行に延びる底辺を有する略三角形状の切欠部を備え、前記第２の底部フラップは、前記第１の底部フラップ側のコーナー部を折り曲げることにより形成された第２の略三角形状の折曲可能片を備え、かつ、該第２の折曲可能片は、前記第１の折曲可能片および前記切欠部を越え、前記切欠部を封止しない位置にて前記第１の底部フラップに固着されており、前記第３の底部フラップは、前記第４の底部フラップ側のコーナー部を折り曲げることにより形成された第３の略三角形状の折曲可能片と、前記第３の底部フラップを形成する折り曲げ部と向かい合う前記第３の底部フラップの端部であり、前記第３の折曲可能片より所定距離離間した位置に設けられ、かつ、前記第１の底部フラップの前記切欠部内に進入可能な舌部を有するコーナー部を備え、前記第４の底部フラップは、前記第３の底部フラップ側のコーナー部を折り曲げることにより形成された第４の略三角形状の折曲可能片を備え、かつ、前記第３の底部フラップの前記第３の折曲可能片は、前記第４の折曲可能片を越える位置にて前記第４の底部フラップに固着されており、さらに、前記包装箱の底面において、前記第２の底部フラップは、全面が露出し、前記第３の底部フラップは、前記第２の底部フラップにより前記舌部を有するコーナー部が覆われ、前記第４の底部フラップは、前記第４の折曲可能片および中央部が前記第３の底部フラップにより覆われ、前記第１の底部フラップは、前記第１の折曲可能片が前記第２の底部フラップにより、前記第１の折曲可能片と向かい合うコーナー部が前記第４の底部フラップにより、前記切欠部およびその付近が前記第２の底部フラップと前記第３の底部フラップとにより覆われており、さらに、前記第３の底部フラップの前記舌部は、前記第１の底部フラップの前記切欠部に進入し、かつ、前記舌部の先端部は、前記切欠部を越え、前記第１の底部フラップの内面上に位置し、前記切欠部と前記舌部により、前記底部フラップが外方に向かって開くことを防止する底部開口防止機構が形成されている包装箱。
【０００６】
（２）  前記切欠部および前記舌部は、前記包装箱の底面外方より、視認不能である上記（１）に記載の包装箱。
（３）  前記包装箱は、医療用部材収納用の包装箱である上記（１）または（２）に記載の包装箱。
（４）  前記包装箱は、薬剤充填済み医療用部材収納用の包装箱である上記（１）ないし（３）のいずれかに記載の包装箱。
（５）  前記切欠部は、斜辺に設けられ、前記舌部の離脱防止用の突出部を有している上記（１）ないし（４）のいずれかに記載の包装箱。
（６）  前記斜辺が、途中で角度が変わる変曲点を持っている上記（５）に記載の包装箱。
（７）  前記舌部は、丸みを帯びた先端部と、該先端部より前記第３の底部フラップ形成用の折り曲げ部に向かってほぼ直交するように延びる第１の側辺と、前記先端部より、前記第３の底部フラップの側部方向にかつ斜めに延びる第２の側辺とを有している上記（１）ないし（６）のいずれかに記載の包装箱。
（８）  前記第３の底部フラップは、露出し、かつ前記第４の底部フラップに固着されていない端部より、前記第３の底部フラップ形成用の折り曲げ部方向に向かって延びる破断可能かつ破断状態確認可能部を備えている上記（１）ないし（７）のいずれかに記載の包装箱。
（９）  前記舌部は、前記第１の側辺に設けられた離脱防止用の小切欠部を備えている上記（８）に記載の包装箱。
（１０）  前記切欠部は、前記第１の略矩形状側面部側の頂点が切り欠かれた形状となっている上記（１）ないし（９）のいずれかに記載の包装箱。
（１１）  前記包装箱は、前記上部開口部封鎖部により前記上部開口部が封鎖されていない状態において、前記略矩形状側面部を押圧することにより、前記４つの底部フラップが、前記折り曲げ部および前記折曲可能片部分により折れ曲がることにより内側に倒れ、扁平状態となることが可能となっている上記（１）ないし（１０）のいずれかに記載の包装箱。
（１２）  前記包装箱は、いずれかの２つの略矩形状側面部間に形成された接合部と、残りの略矩形状側面部間に形成された折り曲げ部を有している上記（１）ないし（１１）のいずれかに記載の包装箱。
（１３）  前記上部開口部封鎖部は、いずれかの略矩形状側面部の上辺に折り曲げ部を介して設けられた上部開口封鎖フラップと、該上部開口封鎖フラップの先端部に折り曲げ部を介して設けられた接合片と、前記上部開口封鎖フラップが形成された略矩形状側面部と向かい合う略矩形状側面部の上部に設けられた破断可能かつ破断状態確認可能部と、前記上部開口封鎖フラップが形成された略矩形状側面部と隣り合う２つの略矩形状側面部の上辺に折り曲げ部を介して設けられた上部フラップとを備えている上記（１）ないし（１２）のいずれかに記載の包装箱。
（１４）  前記包装箱は、略直方体状包装箱である上記（１）ないし（１３）のいずれかに記載の包装箱。
【０００７】
また、上記目的を達成するものは、以下のものである。
（１５）  前記（１）ないし（１４）のいずれかに記載の包装箱と、前記包装箱内に収納された医療用器材とからなり、かつ、前記包装箱の上部開口部が、前記上部開口部封鎖部により封鎖された状態となっている包装された医療用器材。
（１６）  前記医療用器材が、プレフィルドシリンジもしくは薬剤収納容器である上記（１５）に記載の包装された医療用器材。
【発明の効果】
【０００８】
本発明の包装箱は、上辺と下辺と２つの側辺を有する第１、第２、第３及び第４の４つの略矩形状側面部からなり、順に並列しかつ隣り合う各略矩形状側面部が側辺で連続し環状となった側面と、略矩形状側面部の上辺に設けられた上部開口部封鎖部と、略矩形状側面部の下辺に設けられた下部開口部封鎖部とを有する。下部開口部封鎖部は、第１の略矩形状側面部の下辺に設けられた第１の底部フラップと、第２の略矩形状側面部の下辺に設けられた第２の底部フラップと、第３の略矩形状側面部の下辺に設けられた第３の底部フラップと、第４の略矩形状側面部の下辺に設けられた第４の底部フラップとを備える。第１の底部フラップは、第２の底部フラップ側のコーナー部により形成された第１の略三角形状の折曲可能片と、第１の折曲可能片の中央部付近を側辺とし、第１の底部フラップを形成する折り曲げ部とほぼ平行に延びる底辺を有する略三角形状の切欠部を備える。第２の底部フラップは、第１の底部フラップ側のコーナー部により形成された第２の略三角形状の折曲可能片を備え、第２の折曲可能片は、第１の折曲可能片および切欠部を越え、切欠部を封止しない位置にて第１の底部フラップに固着されている。第３の底部フラップは、第４の底部フラップ側のコーナー部により形成された第３の略三角形状の折曲可能片３１と、第３の底部フラップ２３を形成する折り曲げ部５３と向かい合う第３の底部フラップ２３の端部であり、第３の折曲可能片より所定距離離間した位置に設けられ、かつ、第１の底部フラップの切欠部２６に進入可能な舌部を有するコーナー部を備える。第４の底部フラップは、第３の底部フラップ側のコーナー部により形成された第４の略三角形状の折曲可能片を備える。第３の底部フラップの第３の折曲可能片は、第４の折曲可能片を越える位置にて第４の底部フラップに固着されている。そして、包装箱の底面において、第２の底部フラップは、全面が露出し、第３の底部フラップは、第２の底部フラップにより舌部を有するコーナー部が覆われ、第４の底部フラップは、第４の折曲可能片および中央部が第３の底部フラップにより覆われ、第１の底部フラップは、第１の折曲可能片が第２の底部フラップにより、第１の折曲可能片と向かい合うコーナー部が第４の底部フラップにより、そして、切欠部およびその付近が第２の底部フラップと第３の底部フラップとにより覆われている。さらに、第３の底部フラップの舌部は、第１の底部フラップの切欠部に進入し、かつ、舌部の先端部は、切欠部２６を越え、第１の底部フラップの内面上に位置し、切欠部と舌部により、底部フラップが外方に向かって開くことを防止する底部開口防止機構が形成されている。
このため、本発明の包装箱では、改ざん防止機能を有することを外部から確認することは極めて困難であり、改ざん防止部位の特定も極めて困難である。そして、本発明の包装箱では、扁平状態となっている包装箱を押し広げることにより、第３の底部フラップの舌部が、第１の底部フラップの切欠部に進入し、舌部の先端部は、切欠部を越え、第１の底部フラップの内面上に位置するものとなるため、包装箱の組み立て作業が容易であり、さらに、使用後、包装箱を側面方向より押圧することにより、上記舌部が上記切欠部より離脱するため、包装箱の潰し作業（扁平状態化）も容易である。
【図面の簡単な説明】
【０００９】
【図１】図１は、本発明の包装箱を用いた包装された医療用器材の斜視図である。
【図２】図２は、図１に示した包装された医療用器材の正面図である。
【図３】図３は、図２に示した包装された医療用器材の左側面図である。
【図４】図４は、図２に示した包装された医療用器材の底面図である。
【図５】図５は、図４に示した包装箱の内側底面図である。
【図６】図６は、本発明の実施例の包装箱の展開図である。
【図７】図７は、本発明の包装箱の底面を展開した状態を説明するための説明図である。
【図８】図８は、本発明の他の実施例の包装箱の展開図である。
【図９】図９は、図８に示した包装箱を組み立てた状態の底面図である。
【図１０】図１０は、図９に示した包装箱の内側底面図である。
【図１１】図１１は、本発明の他の実施例の包装箱の展開図である。
【図１２】図１２は、図１１に示した包装箱を組み立てた状態の底面図である。
【図１３】図１３は、図１２に示した包装箱の内側底面図である。
【図１４】図１４は、本発明の他の実施例の包装箱の展開図である。
【図１５】図１５は、図１４に示した包装箱を組み立てた状態の底面図である。
【図１６】図１６は、図１５に示した包装箱の内側底面図である。
【発明を実施するための形態】
【００１０】
本発明の包装箱および包装された医療用器材を図面に示した実施例を用いて説明する。
本発明の包装された医療用器材１は、本発明の包装箱２と包装箱２内に収納された医療用器材３とからなり、かつ、包装箱２の上部開口部が、上部開口部封鎖部により封鎖された状態となっている。
本発明の包装箱２は、上辺と下辺と２つの側辺を有する第１、第２、第３及び第４の４つの略矩形状側面部１１，１２，１３，１４からなり、順に並列しかつ隣り合う各略矩形状側面部が側辺で連続し環状となった側面（側部形成部）と、略矩形状側面部の上辺（言い換えれば、側部形成部の上辺）に設けられた上部開口部封鎖部と、略矩形状側面部の下辺（言い換えれば、側部形成部の下辺）に設けられた下部開口部封鎖部とを有する。そして、下部開口部封鎖部は、第１の略矩形状側面部１１の下辺に折り曲げ部５１を介して設けられた第１の底部フラップ２１と、第２の略矩形状側面部１２の下辺に折り曲げ部５２を介して設けられた第２の底部フラップ２２と、第３の略矩形状側面部１３の下辺に折り曲げ部５３を介して設けられた第３の底部フラップ２３と、第４の略矩形状側面部１４の下辺に折り曲げ部５４を介して設けられた第４の底部フラップ２４とを備える。
【００１１】
そして、第１の底部フラップ２１は、第２の底部フラップ２２側のコーナー部を折り曲げることにより形成された第１の略三角形状の折曲可能片２５と、第１の折曲可能片２５の中央部付近を側辺とし、第１の底部フラップ２１を形成する折り曲げ部５１とほぼ平行に延びる底辺を有する略三角形状の切欠部２６を備える。第２の底部フラップ２２は、第１の底部フラップ２１側のコーナー部を折り曲げることにより形成された第２の略三角形状の折曲可能片２８を備え、かつ、第２の折曲可能片２８は、第１の折曲可能片２５および切欠部２６を越え、切欠部２６を封止しない位置にて第１の底部フラップ２１に固着されている。第３の底部フラップ２３は、第４の底部フラップ２４側のコーナー部を折り曲げることにより形成された第３の略三角形状の折曲可能片３１と、第３の底部フラップ２３を形成する折り曲げ部５３と向かい合う第３の底部フラップ２３の端部であり、第３の折曲可能片３１より所定距離離間した位置に設けられ、かつ、第１の底部フラップ２１の切欠部２６内に進入可能な舌部２９を有するコーナー部を備える。第４の底部フラップ２４は、第３の底部フラップ２３側のコーナー部を折り曲げることにより形成された第４の略三角形状の折曲可能片３２を備える。第３の底部フラップ２３の第３の折曲可能片３１は、第４の折曲可能片３２を越える位置にて第４の底部フラップ２４に固着されている。
【００１２】
さらに、包装箱の底面において、第２の底部フラップ２２は、全面が露出し、第３の底部フラップ２３は、第２の底部フラップ２２により舌部２９を有するコーナー部が覆われ、第４の底部フラップ２４は、第４の折曲可能片３２および中央部が第３の底部フラップ２３により覆われ、第１の底部フラップ２１は、第１の折曲可能片２５が第２の底部フラップ２２により、第１の折曲可能片２５と向かい合うコーナー部が第４の底部フラップ２４により、そして、切欠部２６およびその付近が第２の底部フラップと第３の底部フラップにより覆われている。そして、第３の底部フラップ２３の舌部２９は、第１の底部フラップ２１の切欠部２６に進入し、かつ、舌部２９の先端部は、切欠部２６を越え、第１の底部フラップ２１の内面上に位置し、切欠部２６と舌部２９により、底部フラップ２１，２２，２３，２４が外方に向かって開くことを防止する底部開口防止機構が形成されている。
【００１３】
本発明の包装箱は、改ざん防止機能を備えており、医療用部材収納用の包装箱として特に有効である。医療用部材としては、医薬品、例えば、薬剤を収納した薬剤容器、プレフィルドシリンジ、注射針などの医療器具が考えられる。
特に、図示する包装された医療用器材では、包装箱内には、個包装されたプレフィルドシリンジ３が、多数収納されている。個包装されたプレフィルドシリンジ３は、プレフィルドシリンジ４とプレフィルドシリンジを収納し密封された包装体５を備えている。
特に、本発明の包装箱は、細長く大きな厚さを持たない薬剤充填済み医療用部材を立てた状態で複数個収納場合に有効である。細長く大きな厚さを持たない薬剤充填済み医療用部材としては、上述したような個包装されたプレフィルドシリンジ、一般的なシリンジなどがあり、このような医療用部材は、細長く大きな厚さを持たないため、包装箱の底面側からの抜き取りおよび抜き取った後の再収納が行いやすい。しかし、本発明の包装箱では、そのような医療用部材を収納した場合においても、底面の破損を生じないように抜き取ることは極めて困難である。
そして、図２および図３に図示する実施例の包装された医療用器材は、包装箱２と、包装箱２内に立てた状態にて複数個収納された細長く大きな厚さを持たない薬剤充填済み医療用部材３とからなり、かつ、前記包装箱の上部開口部が、前記上部開口部封鎖部により封鎖された状態となっている。
この実施例の包装箱２は、図６の展開図に示すような各部位を備えている。また、この包装箱２は、１枚の横長のシート（具体的には、板紙）を部分的に切断することにより、その基本構成が形成されている。また、包装箱２は、上述した板紙のような不透明な材料により形成されている。
具体的には、包装箱２は、図６に示すように、並列するように設けられた４つの略矩形状側面部１１，１２，１３，１４を備える。また、この実施例の包装箱２では、いずれかの２つの略矩形状側面部間に形成された接合部と、残りの略矩形状側面部間に形成された折り曲げ部を有している。各略矩形状側面部は、ほぼ矩形状となっている。具体的には、縦長の長方形状となっている。また、第１の略矩形状側面部１１は、所定幅を有する縦長の長方形状であり、第２の略矩形状側面部１２は、第１の略矩形状側面部１１より横幅が狭い縦長の長方形状であり、第３の略矩形状側面部１３は、第１の略矩形状側面部１１とほぼ同じ幅を有する縦長の長方形状であり、第４の略矩形状側面部１４は、第２の略矩形状側面部１２とほぼ同じ幅を有する縦長の長方形状である。そして、第１の略矩形状側面部１１と第２の略矩形状側面部１２間には、折り曲げ部４７が、第２の略矩形状側面部１２と第３の略矩形状側面部１３間には、折り曲げ部４８が、第３の略矩形状側面部１３と第４の略矩形状側面部１４間には、折り曲げ部４９が設けられている。そして、第１の略矩形状側面部１１には、第４の略矩形状側面部１４の端部と接合するための接合部を形成する接合用片４５が折り曲げ部５０を介して設けられている。図６および図７に示すように、第１の略矩形状側面部１１の接合用片４５を第４の略矩形状側面部１４の端部内面（自由端部の内面）に接着することにより、矩形状側面部が形成される。
よって、接合用片４５により、第１の略矩形状側面部１１と第４の略矩形状側面部１４とが接合された状態において、４つの略矩形状側面部１１，１２，１３，１４により、環状側部が形成される。また、各側面部間の折り曲げ部を約９０度に折り曲げることにより、環状側部は、略直方体状の環状側部（言い換えれば、側部形成部）となり、その内部に収納空間を有するものとなる。
そして、環状側部は、第１の略矩形状側面部１１が、一方の側辺において第２の略矩形状側面部１２と隣り合い、第２の略矩形状側面部１２が、一方の側辺において第３の略矩形状側面部１３と隣り合い、他方の側辺において第１の略矩形状側面部１１と隣り合うものとなっている。第３の略矩形状側面部１３は、一方の側辺において第４の略矩形状側面部１４と隣り合い、他方の側辺において第２の略矩形状側面部１２と隣り合い、さらに、第１の矩形状側面部１１と向かい合うものとなっている。第４の略矩形状側面部１４は、一方の側辺において第１の略矩形状側面部１１と隣り合い、他方の側辺において第３の略矩形状側面部１３と隣り合い、さらに、第２の矩形状側面部１２と向かい合うものとなっている。
【００１４】
そして、包装箱２は、略矩形状側面部の上辺に介して設けられた上部開口部封鎖部と、略矩形状側面部の下辺に設けられた下部開口部封鎖部を備えている。  この実施例の包装箱２では、下部開口部封鎖部は、第１の略矩形状側面部１１の下辺に折り曲げ部５１を介して設けられた第１の底部フラップ２１と、第１の略矩形状側面部１１と隣り合う第２の略矩形状側面部１２の下辺に折り曲げ部５２を介して設けられた第２の底部フラップ２２と、第２の略矩形状側面部１２と隣り合い、かつ第１の矩形状側面部１１と向かい合う第３の略矩形状側面部１３の下辺に折り曲げ部５３を介して設けられた第３の底部フラップ２３と、第３の略矩形状側面部１３と隣り合い、かつ、第２の矩形状側面部１２と向かい合う第４の略矩形状側面部１４の下辺に折り曲げ部５４を介して設けられた第４の底部フラップ２４とを備える。つまり、下部開口部封鎖部は、４つの底部フラップ２１，２２，２３，２４により形成されている。
【００１５】
そして、第１の底部フラップ２１は、第２の底部フラップ２２側のコーナー部を折り曲げ部３４ａ，３４ｂにより折り曲げることにより形成された第１の略三角形状の折曲可能片２５を備える。さらに、第１の底部フラップ２１は、第１の折曲可能片２５の中央部付近（具体的には、折り曲げ部３４ａ，３４ｂ間）を側辺２６ａ（図７参照）とし、第１の底部フラップ２１を形成する折り曲げ部５１とほぼ平行に延びる底辺２６ｂ（図７参照）を有する略三角形状の切欠部２６を備える。また、折曲可能片２５の折り曲げ部５１側の端部付近２５ａが切りかかれたものとなっており、折曲可能片２５の折れ曲がりを容易なものとしている。また、略三角形状の切欠部２６は、第１の底部フラップ２１の折り曲げ部５１と折曲可能片２５の側辺とにより形成される角部から見た角度範囲（図６におけるα）が、２５度から５０度の範囲内に位置していることが好ましい。特に、３０〜４５度の範囲内に位置していることが好ましい。切欠部２６は、図７に示すように上述した側辺２６ａと、上述した底辺２６ｂと、斜辺２６ｅを備える略三角形状のものとなっている。底辺２６ｂは、第１の底部フラップ２１を形成する折り曲げ部５１と平行に延びるものであることが好ましいが、若干斜めに延びるものであってもよい。さらに、この実施例では、切欠部２６は、斜辺２６ｅに設けられた後述する舌部２９の離脱防止用の突出部（小突出部）２７を有している。突出部２７は、略三角形状のものであり、斜辺２６ｅの一部を底辺とし、底辺２６ｂ方向に延びるものとなっている。この実施例では、突出部２７は、斜辺２６ｅの中央部より底辺２６ｂに寄った位置に設けられている。このため、突出部２７と底辺２６ｂの端部間には、短辺２６ｄが形成されている。また、この実施例では、切欠部２６は、折り曲げ部５１側の頂点が切り欠かれた状態となっている。具体的には、切欠部２６は、側辺２６ａの一端から斜辺２６ｅの一端に到達する第４の辺２６ｆを備えている。このため、切欠部２６は、変形四角形状ということもできる。また、第４の辺２６ｆは、側辺２６ａに対してほぼ直交するものとなっている。この第４の辺２６ｆは、後述する舌部に当接することにより、その進行止めとして機能する。また、この実施例では、切欠部２６の底辺２６ｂと斜辺の一部である短辺２６ｄにより、舌部の進入開始部が形成されている。なお、図５に示すように、第１の底部フラップは、略矩形状側面部の下部開口部の全体を封鎖するものなっていない。具体的には、図５に示すように、第１の底部フラップの縦幅は、第２の底部フラップおよび第４の底部フラップの横幅より短いものとなっている。本発明では、このようにしても底部は、十分な強度を備えるとともに、素材の使用量を少ないものとすることができる。
【００１６】
第２の底部フラップ２２は、第１の底部フラップ２１側のコーナー部を折り曲げ部３５により折り曲げることにより形成された第２の略三角形状の折曲可能片２８を備える。また、第２の底部フラップ２２は、第３の底部フラップ２３側のコーナー部が大きく切りかかれた形状となっている。また、折曲可能片２８の折り曲げ部５２側の端部付近２８ａが切りかかれたものとなっており、折曲可能片２８の折れ曲がりを容易なものとしている。そして、図４に示すように、第２の略三角形状の折曲可能片２８は、第１の折曲可能片２５および切欠部２６を越え、切欠部２６を封止しない位置にて第１の底部フラップ２１に固着され、第１の底部フラップ２１と第２の底部フラップ２２との固着部７１を形成している。そして、固着され連結した第１の底部フラップ２１と第２の底部フラップ２２は、第２のフラップ２２が折り曲げ部３５にて谷折れし、第１の底部フラップが、折り曲げ部３４ａ，３４ｂにて谷折れすることにより、略矩形状側面部の内側に折り畳まれるものとなっている。
【００１７】
第３の底部フラップ２３は、第４の底部フラップ２４側のコーナー部を折り曲げ部３６により折り曲げることにより形成された第３の略三角形状の折曲可能片３１を有する。また、折曲可能片３１の折り曲げ部５３側の端部付近３１ａが切りかかれたものとなっており、折曲可能片３１の折れ曲がりを容易なものとしている。さらに、第３の底部フラップ２３は、第３の底部フラップ２３を形成する折り曲げ部５３と向かい合う第３の底部フラップ２３の端部であり、第３の折曲可能片３１より所定距離離間した位置に設けられた舌部２９を有するコーナー部を備える。舌部２９は、丸みを帯びた先端部２９ａと、先端部２９ａより第３の底部フラップ形成用の折り曲げ部５３に向かってほぼ直交するように延びる第１の側辺２９ｂと、先端部２９ａより、第３の底部フラップ２３の側部方向にかつ斜めに延びる第２の側辺２９ｃとを有している。また、この実施例では、舌部２９を有するコーナー部と折曲可能片３１間には、凹部３０が形成されている。
【００１８】
第４の底部フラップ２４は、第３の底部フラップ２３側のコーナー部を折り曲げ部３７により折り曲げることにより形成された第４の略三角形状の折曲可能片３２を備える。また、第４の底部フラップ２４は、第４の折曲可能片３２が設けられていない側のコーナー部が大きく切りかかれた形状となっている。また、折曲可能片３２の折り曲げ部５４側の端部付近３２ａが切りかかれたものとなっており、折曲可能片３２の折れ曲がりを容易なものとしている。そして、図４に示すように、第３の折曲可能片３１は、第４の折曲可能片３２を越える位置にて第４の底部フラップ２４に固着され、第３の底部フラップ２３と第４の底部フラップ２４との固着部７２を形成している。そして、固着され連結した第３の底部フラップ２３と第４の底部フラップ２４は、第３のフラップ２３が折り曲げ部３６にて谷折れし、第４の底部フラップが、折り曲げ部３７にて谷折れすることにより、略矩形状側面部の内側に折り畳まれるものとなっている。
この実施例の包装箱２では、上述したように、固着され連結した第１の底部フラップ２１と第２の底部フラップ２２は、略矩形状側面部の内側に折り畳み可能であり、同様に、固着され連結した第３の底部フラップ２３と第４の底部フラップ２４も略矩形状側面部の内側に折り畳み可能であるため、上部開口部封鎖部により上部開口部が封鎖されていない状態において、略矩形状側面部を押圧することにより、４つの底部フラップが、折り曲げ部および折曲可能片部分により折れ曲がることにより内側に倒れ、扁平状態となることが可能となっている。
【００１９】
そして、この実施例の包装箱２では、上記のような扁平状態において、第１の略矩形状側面部１１と第４の略矩形状側面部１４間が平坦であり、第２の略矩形状側面部１２と第３の略矩形状側面部１３間が平坦であり、第１の略矩形状側面部１１と第２の略矩形状側面部１２間の折り曲げ部４７にて約０度に折れ曲がっており、同様に、第３の略矩形状側面部１３と第４の略矩形状側面部１４間の折れ曲げ部４９にて約０度に折れ曲がった状態となっている。
そして、約０度に折れ曲がっている折り曲げ部４７および折れ曲げ部４９を近接する方向に押圧することにより、４つの略矩形状側面部１１、１２，１３，１４が開く。特に、第１の略矩形状側面部１１と第２の略矩形状側面部１２のなす角度が０°から９０°に向かう変形にともなう第１の底部フラップ２１に固定されている第２の底部フラップ２２と第２の略矩形状側面部１２とのなす角度が０°から９０°へと変化する動きと、第２の略矩形状側面部１２と第３の略矩形状側面部１３のなす角度が１８０°から９０°に向かう変形にともなう第３の底部フラップ２３の動きに従い、舌部２９が切欠部２６の底辺方向から側辺に沿って移動することによって、第３の底部フラップ２３の舌部２９は、第１の底部フラップ２１の切欠部２６に進入し、そして、図５に示すように、舌部２９の先端部は、切欠部２６を越え、第１の底部フラップ２１の内面上に位置し、切欠部２６と舌部２９により、底部フラップ２１，２２，２３，２４が外方に向かって開くことを防止する。そして、この包装箱２では、図４および図５に示すように、切欠部２６および舌部２９は、包装箱の底面外方より、視認不能である。このため、外方に向かって開くような操作を行うことにより、開封防止機構があることを理解できるが、その位置を特定することができないものとなっている。また、底部フラップを内方に押し開けようとする動作に対しては、基本的には収納物がこれを阻害する。また、上述したように、この実施例では、切欠部２６の斜辺に突出部２７を有するため、無理に押し開こうとする動作に対して、箱が直方体形状を保ったまま（言い換えれば、隣り合う略矩形状側面部同士のなす角が直角を保ったまま）での、第１の底部フラップと第３の略矩形状側面部とのなす角度と第３の底部フラップと第３の略矩形状側面部とのなす角度が９０°から小さくなるような動作に対しては、舌部は斜辺に沿って移行するので、舌部は斜辺上の突出部に突き当たってそれ以上底部フラップの折曲がりは進行できない。
【００２０】
そして、組み立てられた包装箱は、第２の略矩形状側面部１２と第３の略矩形状側面部１３間の折れ曲がり部４８部分および第１の略矩形状側面部１１と第４の略矩形状側面部１４間の折れ曲がり部５０を近接する方向に押圧することにより、上記舌部２９は、切欠部２６より離脱し、上述した扁平状体となる。
また、本発明の包装箱２は、図６に示すように、上部開口部封鎖部を備えている。この実施例の包装箱２では、上部開口部封鎖部は、いずれかの略矩形状側面部の上辺に折り曲げ部を介して設けられた上部開口封鎖フラップ４４と、上部開口封鎖フラップ４４の先端部に折り曲げ部６４を介して設けられた接合片４６と、上部開口封鎖フラップ４４が形成された略矩形状側面部と向かい合う略矩形状側面部の上部に設けられた破断可能かつ破断状態確認可能部４２と、上部開口封鎖フラップ４４が形成された略矩形状側面部と隣り合う２つの略矩形状側面部の上辺に折り曲げ部を介して設けられた上部フラップ４１，４３とを備えている。
具体的には、図６に示すように、第４の略矩形状側面部の上辺に折り曲げ部６３を介して設けられた上部開口封鎖フラップ４４を備えている。そして、封鎖フラップ４４は、略矩形状側面部の上部開口部の全体を覆うものとなっている。さらに、封鎖フラップ４４の先端部には、折り曲げ部６４を介して接合片４６が設けられている。さらに、折り曲げ部６４の両側部には、スリット６５ａ，６５ｂが設けられている。そして、図１および図３に示すように、接合片４６は、第２の略矩形状側面部１２の上部内に挿入されるとともに、第２の略矩形状側面部１２の上部に設けられた破断可能かつ破断状態確認可能部４２（具体的には、ミシン目に囲まれた部分）の内面に接合されている。また、接合片４６は、破断可能かつ破断状態確認可能部４２以外には接合されていない。このため、破断可能かつ破断状態確認可能部４２部分にて、第２の略矩形状側面部１２の上部を破断することにより、上部開口部封鎖部を開放することができる。また、この実施例の包装箱２では、図６に示すように、第１の略矩形状側面部の上辺に折り曲げ部６１を介して設けられた上部フラップ４１と、第３の略矩形状側面部の上辺に折り曲げ部６２を介して設けられた上部フラップ４３とを備えている。
そして、この実施例の包装箱は、組み立てた状態では、略直方体状となる包装箱となっている。
【００２１】
次に、図８ないし図１０に示す本発明の他の実施例の包装箱について説明する。
図８は、本発明の他の実施例の包装箱の展開図である。図９は、図８に示した包装箱を組み立てた状態の底面図である。図１０は、図９に示した包装箱の内側底面図である。
この実施例の包装箱２ａは、上述した包装箱２と基本構成は同じである。相違点は、第１の底部フラップ２１に設けられた切欠部２６の斜辺２６ｅの形態のみである。
この実施例の包装箱２ａにおいても、切欠部２６は、斜辺２６ｅに設けられた舌部２９の離脱防止用の突出部（小突出部）２７ａを有している。突出部２７ａは、略三角形状のものであり、斜辺２６ｅの一部を底辺とし、底辺２６ｂ方向に延びるものとなっている。この実施例では、突出部２７ａは、斜辺２６ｅの中央部に設けられている。また、斜辺２６ｅが、途中で角度が変わる変曲点を持っている。具体的には、突出部２７ａと底辺２６ｂの一端間の斜辺２６ｅには、途中に、変曲点２６ｇが設けられ、斜辺２６ｅと斜辺２６ｈ間は、所定角度を有するものとなっている。このような形態とすることにより、舌部の進入を容易なものとすることができる。
【００２２】
次に、図１１ないし図１３に示す本発明の他の実施例の包装箱について説明する。
図１１は、本発明の他の実施例の包装箱の展開図である。図１２は、図１１に示した包装箱を組み立てた状態の底面図である。図１３は、図１２に示した包装箱の内側底面図である。
この実施例の包装箱２ｂは、上述した包装箱２と基本構成は同じである。相違点は、第３の底部フラップ２３が、底面にて露出し、かつ第４の底部フラップに固着されていない端部より、第３の底部フラップ形成用の折り曲げ部５３方向に向かって延びる破断可能かつ破断状態確認可能部７３（具体的には、ほぼ直線状に延びるミシン目）を備えている点である。なお、この破断可能かつ破断状態確認可能部７３は、上述した実施例の包装箱２，２ａおよび後述する包装箱２ｃにも設けてもよい。このような破断可能かつ破断状態確認可能部７３を設けることにより、底部フラップを外方に向かって無理に開こうとする動作に対して破断可能かつ破断状態確認可能部が破損することにより改ざん履歴を確認することが可能である。また、この実施例の包装箱では、切欠部２６は、突出部２７を持たないものとなっている。
【００２３】
次に、図１４ないし図１６に示す本発明の他の実施例の包装箱について説明する。
図１４は、本発明の他の実施例の包装箱の展開図である。図１５は、図１４に示した包装箱を組み立てた状態の底面図である。図１６は、図１５に示した包装箱の内側底面図である。
この実施例の包装箱２ｃは、上述した包装箱２と基本構成は同じである。相違点は、舌部２９が、第１の側辺２９ｂに設けられた離脱防止用の小切欠部７５を備える点のみである。舌部２９は、丸みを帯びた先端部２９ａと、先端部２９ａより第３の底部フラップ形成用の折り曲げ部５３に向かってほぼ直交するように延びる第１の側辺２９ｂと、先端部２９ａより、第３の底部フラップ２３の側部方向にかつ斜めに延びる第２の側辺２９ｃとを有している。そして、第１の側辺２９ｂであり、かつ、先端部２９ａより若干離間した位置に、離脱防止用の小切欠部７５が設けられている。
そして、本発明の包装された医療用器材としては、上述したすべての実施例の包装箱を用いることができる。
【符号の説明】
【００２４】
１  包装された医療用器材
２，２ａ，２ｂ，２ｃ  包装箱
３  医療用器材
１１  第１の略矩形状側面部
１２  第２の略矩形状側面部
１３  第３の略矩形状側面部
１４  第４の略矩形状側面部
２１  第１の底部フラップ
２２  第２の底部フラップ
２３  第３の底部フラップ
２４  第４の底部フラップ
２６  切欠部
２９  舌部
【図１】
0005512437.tif 000002
【図２】
0005512437.tif 000003
【図３】
0005512437.tif 000004
【図４】
0005512437.tif 000005
【図５】
0005512437.tif 000006
【図６】
0005512437.tif 000007
【図７】
0005512437.tif 000008
【図８】
0005512437.tif 000009
【図９】
0005512437.tif 000010
【図１０】
0005512437.tif 000011
【図１１】
0005512437.tif 000012
【図１２】
0005512437.tif 000013
【図１３】
0005512437.tif 000014
【図１４】
0005512437.tif 000015
【図１５】
0005512437.tif 000016
【図１６】
0005512437.tif 000017